(57)【要約】  何らかの形態の流体組成物（１４）を貯蔵し供給するための引っぱり作動包装体（１０）は、相対する層の間にシールされたキャビティ（１２）を定める、相対する第１（１６）及び第２（１８）材料層を含む。流体組成物がキャビティ内に収容される。包装体の使用の際に組成物がそこからキャビティを出る出口構造体（２８）が、第１材料層に定められる。フラップ（３０）は、相対する層の一部によって定められ、出口構造体上の第１材料層上に延びて引き剥がし可能にシールされるように第１折り畳みラインで折り畳まれる。包装体を開くために、フラップ又はフラップの延長部がユーザによって引っぱられてフラップが第１材料層から剥離され、出口構造体上からシール解除される。包装体に圧力がかけられたときに出口構造体から流体組成物が供給される。
2009505918.tif 000002
【特許請求の範囲】
【請求項１】
何らかの形態の流体組成物を貯蔵し供給するための引っぱり作動包装体であって、
間にシールされたキャビティを定める、相対する第１及び第２材料層、及び、前記キャビティ内に収容された流体組成物と、
前記包装体の使用の際に前記組成物が前記キャビティから出るようにするための、前記第１材料層に定められた出口構造体と、
前記相対する層の一部によって定められ、前記出口構造体上を覆うように第１折り畳みラインにおいて前記第１材料層上に折り畳まれ、該第１材料層に引き剥がし可能にシールされたフラップと、
を備え、
前記包装体を開く場合には、ユーザが前記フラップを引っぱることによって該フラップが前記第１材料層から剥離され、前記出口構造体のシールが解除され、それにより前記包装体に圧力がかけられたときに前記流体組成物が前記出口構造体から供給されるようになることを特徴とする包装体。
【請求項２】
前記相対する材料層が、前記キャビティを定める周囲シールに沿って互いにシールされることを特徴とする請求項１に記載の包装体。
【請求項３】
前記相対する材料層が、前記周囲シールに沿って互いにヒートシールされる熱可塑性材料からなり、前記フラップが、前記出口構造体を囲むシール区域において前記出口構造体上の前記第１材料層に直接ヒートシールされたことを特徴とする請求項２に記載の包装体。
【請求項４】
前記第１材料層が、内面とは異なるヒートシール特性をもつ外面を備え、前記フラップは、前記周囲シールに比べて脆いヒートシールによって前記第１材料層にヒートシールされることを特徴とする請求項３に記載の包装体。
【請求項５】
前記第１材料層が、前記キャビティの壁を定める内側フィルム層とは異なるヒートシール特性をもつ外側シーラント層を有する多層フィルムからなることを特徴とする請求項４に記載の包装体。
【請求項６】
前記フラップが第２折り畳みラインで折り畳まれ、第２経路に沿って前記出口構造体上に折り返され、ワイプ層とバック層との間から延び出るようになったことを特徴とする請求項１から請求項５までのいずれかに記載の包装体。
【請求項７】
前記フラップが、前記第２折り畳みラインに隣接する位置で前記第２材料層に引き剥がし可能にシールされたことを特徴とする請求項６に記載の包装体。
【請求項８】
前記フラップは、前記出口構造体が前記第２材料層に隣接する位置に折り畳まれるように配置された第２折り畳みラインにおいて折り畳まれ、前記第２折り畳みラインによって前記キャビティから分離されたことを特徴とする請求項１から請求項５までのいずれかに記載の包装体。
【請求項９】
前記フラップが、前記第２折り畳みラインに隣接する前記第２材料層に引き剥がし可能にシールされたことを特徴とする請求項８に記載の包装体。
【請求項１０】
前記相対する材料層が、前記キャビティを定める周囲シールに沿って互いにヒートシールされる熱可塑性材料からなり、前記フラップが、前記出口構造体を囲むシール区域において前記出口構造体上の前記第１材料層に直接ヒートシールされ、前記フラップが、前記第２折り畳みラインに隣接する前記第２材料層に直接ヒートシールされたことを特徴とする請求項９に記載の包装体。
【請求項１１】
前記第１及び第２材料層が該第１及び第２材料層の内面とは異なるヒートシール特性をもつ外面を備え、前記フラップが前記周囲シールに比べて脆いヒートシールで前記第１及び第２材料層に対してヒートシールされるようになったことを特徴とする請求項１０に記載の包装体。
【請求項１２】
前記第１及び第２材料層が、前記フラップとの間で前記脆いヒートシールを形成するのに適した低いヒートシール特性をもつ外側シーラント層を有する多層フィルムからなることを特徴とする請求項１１に記載の包装体。
【請求項１３】
前記第１及び第２の相対する材料層が、前記キャビティを定める周囲シールに沿って互いにヒートシールされた熱可塑性材料を含み、前記フラップが、前記出口構造体を囲むシール区域において前記出口構造体上の前記第１材料層に直接ヒートシールされ、前記フラップが前記第１材料層にヒートシールされたときに前記第１及び第２材料層が前記シール区域において互いにシールされるのを防止するように配置された前記キャビティ内のインサートをさらに備えたことを特徴とする請求項１に記載の包装体。
【請求項１４】
前記包装体キャビティ内にバッフルをさらに備えることを特徴とする請求項１から請求項１３までのいずれかに記載の包装体。
【請求項１５】
前記バッフルが、前記包装体の前記相対する第１及び第２材料層の間のシール・ラインを含むことを特徴とする請求項１４に記載の包装体。
【請求項１６】
前記流体組成物が医薬品であることを特徴とする請求項１から請求項１５までのいずれかに記載の包装体。
【請求項１７】
前記流体組成物が食品であることを特徴とする請求項１から請求項１５までのいずれかに記載の包装体。
【請求項１８】
前記流体組成物がクリーニング製品であることを特徴とする請求項１から請求項１５までのいずれかに記載の包装体。
【請求項１９】
前記フラップが、前記フラップを前記第１材料層から引き離すためにユーザが把持する形状及び構成を有するフラップ延長部をさらに備えたことを特徴とする請求項１から請求項１８までのいずれかに記載の包装体。
【発明の詳細な説明】
【技術分野】
【０００１】
本発明は、パウチ又は包装体に関する。
【背景技術】
【０００２】
流体組成物を貯蔵し供給するためのシールされた使い捨てパウチ又は包装体が、当該技術分野では良く知られている。その例には、香辛料包装体のような食品包装体、及び、ローション又は軟膏包装体のような医薬品包装体がある。多くの形式のこれらの従来の包装体は、包装体上の定められた位置に沿って引き裂かれ又は分離されるように設計される。しかしながら、この動作は、比較的高い度合いの手先の器用さを要求し、子供や老人にとっては難しいことがある。また、引き裂く動作は、しばしば、包装体の内容物の突然の制御不能の放出をもたらすことがある。他の包装体は、包装体に圧力がかけられたときに、壊れやすいシーム又は部分に沿って破裂するように設計される。しかしながら、こうした装置は選択的ではなく、ユーザによって意図的に圧力がかけられたのか、或いは、取扱い、輸送又は保管中に意図せず圧力がかかったのかどうかに関係なく、十分な圧力の下で破裂する。
【０００３】
種々の目的のために他の構造体内の包装体又はパウチを用いることも公知である。例えば、米国特許第６，５０８，６０２号は、圧力がアプリケータにかけられて容器が破れたときに、密封された容器から流体を分散させるように意図された、アプリケータを説明している。容器が時期尚早に破裂するのを防止するために、米国特許第６，５０８，６０２号は、容器の破断可能な部分を分離する軸線に沿ってアプリケータ内の容器も折り畳まれるように、アプリケータ全体を折り畳むことを提案している。アプリケータを使用するために、消費者は、アプリケータの中に手を入れて容器を破裂させるのに十分な圧力をかける前に、装置を展開しなければならない。この構成は、アプリケータが使用前に折り畳まれたままであることを保証するために、付加的な折り畳みステップと、付加的な拘束構造体又は包装材料といった包装上の考慮事項を必要とする。これは、製造及び包装の観点から望ましい状況ではない。
【０００４】
したがって、当該技術分野では、信頼性があり、なおかつ消費者によって簡単に開けられ使用される、改善された包装体又は容器設計が探し求められ続けている。
【発明の開示】
【０００５】
本発明の目的及び利点は、以下の説明に記載されることになり、又は説明から明らかとなり、或いは本発明の実施を通じて習得されるであろう。
【０００６】
本発明は、何らかの形態の流体組成物を貯蔵し供給するための新規な包装体設計を提案する。包装体は、容易に製造され、貯蔵の間に構造的完全性を維持し、通常の取り扱いの間に破裂せず、比較的簡単に開かれ使用される。包装体は、その意図された使用又は包装体内に収容された流体組成物の種類によって制限されない。例えば、包装体は、何らかの形態の医療用ローション、軟膏、外用薬、又は他の医療用流体組成物を収容してもよい。他の実施形態においては、流体組成物は、クリーニング剤又は研磨剤であってもよい。本発明に係る包装体は、食品サービス産業における香辛料包装体としての特定の有用性を有することができる。したがって、本発明に係る新規な包装体は、多くの分野における実用性を有することができ、全てのそうした使用は本発明の範囲及び精神内にあることを認識されたい。
【０００７】
包装体は、シールされたキャビティを定めるように周囲シールに沿ってシールされた、相対する第１及び第２材料層によって形成することができる。材料層における一連の穴又はスリットのような１つ又はそれ以上の開口部、或いは、エンボス加工、レーザ・スコーリング、機械的スコーリング、フィルム構造体を脆弱化するための他の公知の方法によって作成された包装体材料の脆弱部とすることができる出口構造体が、第１材料層を通して定められる。出口構造体は、流体組成物が収容される包装体の内部キャビティと連通する。
包装体の外への流体組成物の流速を制御するのを補助するために、バッフル構造体又は他の制限構造体がキャビティ内に設けられてもよい。バッフル構造体は、流体組成物のための制限的流路を定める、包装体の相対する材料層間の１つ又はそれ以上のシールによって定められてもよい。
【０００８】
出口構造体上の第１材料上に延びて引き剥がし可能にシールするように第１折り畳みラインで折り畳まれた、相対する包装体材料層の一部によって、フラップが定められる。その折り畳まれシールされた構成において、フラップは、ユーザによって直接つかまれてもよく、又は、ユーザによってすぐにつかまれる形状及び構成を有するフラップ延長部が設けられてもよい。包装体を保持している状態で、ユーザは、フラップ又はフラップ延長部を、フラップが第１材料層から剥離され出口構造体上からシール解除される方向に単純に引っぱる。次いで、ユーザによって包装体に圧力がかけられたときに、流体組成物が出口構造体を通って包装体の外に供給される。
【０００９】
特定の実施形態においては、包装体の相対する材料層間のシール・ラインがフラップ及びキャビティ間に設けられ、フラップがこのシール・ラインにおいて折り重ねられて、出口構造体上に延びて第１経路における第１材料層をシールするようにしてもよい。次いで、フラップが、第２の折り畳みラインで反対方向に折り返されて、第２経路における出口構造体上を戻る方向に延びてもよい。出口構造体上のフラップのシールの完全性には必ずしも必要ではないが、フラップは、使用前にフラップが包装体に対してコンパクトで緊密な構成に保たれるように、第２折り畳みラインに隣接する第２材料層に引き剥がし可能にシールされてもよい。
【００１０】
包装体材料層は変化させることができる。ある実施形態においては、包装体内の流体組成物の性質に応じて、ラミネートされメタライズされたフィルムが望ましい。特定の実施形態においては、包装体の相対する材料層は、従来のヒートシール技術を用いて周囲シールに沿って互いにヒートシールされる熱可塑性フィルム層のようなヒートシール可能な熱可塑性材料を含む。フラップは、出口構造体を囲むシール区域において第１材料層に直接ヒートシールされてもよい。シール区域は、出口構造体の周りの境界、又は、出口構造体を囲む連続シール区域であってもよい。この実施形態においては、第１材料層は、材料の内面とは異なるヒートシール特性をもつ外面又は層を有してもよい。このような方法で、フラップは、周囲シールに沿って相対する材料層を互いにヒートシールするのに必要な条件とは異なるヒートシール条件（すなわち、温度、滞留時間、及び圧力）で第１材料層に対してヒートシールされてもよい。したがって、フラップ・シールは、キャビティ又は他のパウチ構造体を定める永久周囲シールに比べて弱い又は「壊れやすい」と考えてもよい。例えば、第１材料層は、異なる融点をもつ異なる層を有する多層フィルムであってもよい。層は、共押出又はラミネート層であってもよく、一方の外面層は、Ｄｕｐｏｎｔ社からのＳｕｒｌｙｎ（登録商標）、或いは、ポリブチレンとエチレン酢酸ビニル又は超低密度エチレンコポリマーとのブレンド、ポリオレフィンプラストマー、又はポリエチレンのようなシーラント材料又はコーティングを含む。これらの樹脂又はブレンドでできたシーラント層は、シール温度、滞留時間、及び圧力に応じて、ベースポリマーに比べて異なるシール強度のシールを与えてもよい。したがって、フラップと第１材料層の外面との間のシールは、シール条件を変化させることによって、包装体キャビティを定める永久周囲シールに比べて選択的に壊れやすくなるように形成することができる。
第２材料層は、第１材料層に比べて同じ又は異なる熱可塑性フィルムとすることができる。
【００１１】
さらに別の実施形態においては、フラップは、（シール・フラップを有する）出口構造体が第２材料層に隣接して位置する方向に折り畳まれるように配置された第２折り畳みラインで折り畳まれる。この構成においては、出口構造体は、第２折り畳みラインによってキャビティの内容物から分離される。フラップは、第２折り畳みラインに隣接する第２材料層に引き剥がし可能にシールされる。この実施形態においては、相対する材料層は、キャビティを定める周囲シールに沿って互いにヒートシールされた熱可塑性材料であってもよい。フラップは、出口構造体を囲むシール区域において出口構造体上で第１材料層に直接ヒートシールされ、第２折り畳みラインに隣接する第２材料層に直接ヒートシールされる。第１及び第２材料層は、キャビティを定める周囲シールに比べて壊れやすい引き剥がし可能なシールにおける第１及び第２材料層に対してフラップがヒートシールされるようなヒートシール特性をもつ前述の外側シーラント層を有する多層フィルムであってもよい。
【００１２】
さらに別の実施形態において、包装体は、キャビティを定める周囲シールに沿って互いにヒートシールされた、相対する材料層の組み合わせによって定められてもよく、そのときフラップは、出口構造体を囲むシール区域において出口構造体上で第１材料層に直接ヒートシールされる。フラップ・シールは、周囲シールに比べて壊れやすくなるような温度、滞留時間、及び圧力で形成される。フラップを第１材料層にヒートシールするときにフラップ・シール区域において相対する層が互いにシールされるのを防止するために、材料層がキャビティ内で互いにシールされるのを防止するようなシール区域に対する位置でインサート装置がキャビティ内に配置されてもよい。インサートは、フラップが第１材料層にヒートシールされたときに相対する材料層の両方にシールされない材料のいずれかとすることができる。特定の実施形態においては、インサートは、相対する材料層にヒートシールされない少なくとも１つの表面を有する熱可塑性材料のストリップであってもよい。相対する表面は、インサート材料がキャビティ内の底部材料層にシールされるようにするシーラント層を有してもよい。したがって、インサートは、フラップが第１材料層から剥離されたときに流体組成物が出口構造体から確実に自由に流出できるようにするチャネル又は導管を定める。
本発明の態様は、図面に示された特定の実施形態を参照することによって、以下でより詳しく説明されることになる。
【発明を実施するための最良の形態】
【００１３】
ここで、本発明の１つ又はそれ以上の実施形態について詳細に言及し、その例は図面に示す。実施形態は、本発明の説明のために与えられたものであって、本発明を制限するように意図されているものではない。一実施形態の一部として図示され又は説明された特徴は、さらに異なる実施形態をもたらすために別の実施形態と共に用いられてもよい。したがって、本発明は、ここで図示され説明された実施形態への修正及び変形を含むことを意図されている。
本発明に係る新規な包装体は、包装体に収容された流体組成物のいずれかの特定の意図される使用又は形式に制限されないことを認識されたい。
【００１４】
一般に図面を参照すると、包装体１０の種々の実施形態が図示されている。図１の実施形態においては、包装体１０は、いずれかの所望の流体組成物１４を貯蔵し供給するように設計された比較的小さい使い捨ての構造体として描かれている。包装体１０は、包装体１０の使用により供給されることが望まれる流体組成物１４の分量に応じたいずれかの寸法とすることができる。以下でさらに詳しく説明するように、包装体１０は折り畳まれたフラップ３０によってシールされ、包装体は、ユーザがフラップ３０又はフラップ延長部３２を引っぱることによって開かれ、それによりフラップ３０が展開され包装体の出口構造体２８が露出されて、そこから流体組成物１４が移動する。
種々の図面において見られるように、包装体１０は、包装体の第１部分におけるキャビティ１２を定め、キャビティ１２内に流体組成物１４が収容される。包装体１０は、互いに取り付けられてシールされたキャビティ１２を定める、相対する材料層１６、１８から形成されてもよい。相対する層１６、１８は、熱結合によって取り付けられてもよいが、層１６、１８のために選択された材料の形式に応じて、いずれの適切な取り付け方法が用いられてもよい。
【００１５】
包装体材料層１６、１８は、キャビティ１２に収容された流体組成物１４に対して不透過性のいずれの適切な可撓性材料から形成されてもよい。包装体材料は、流体１４に対して負の影響をもたないか又は流体１４と反応しないものであるべきである。包装体１０の構成に用いられる材料と、キャビティ１２内の流体組成物１４の充填レベルは、耐久性及び可撓性があり、通常の取扱いの間に容易に破裂しない構造体をもたらす。包装体１０は、接着、縫製、溶接、ヒートシール、超音波などのようないずれかの従来の取り付け技術を用いて材料層１６、１８から形成されてもよい。特定の実施形態においては、材料層１６、１８は、ポリエチレン又はポリプロピレンフィルム又は他の適切な熱可塑性プラスチックのようなヒートシール可能な熱可塑性材料である。層はまたメタライズされたフィルムであってもよい。包装体１０及びそれに関連する構造体を形成するのに用いられた結合又は取り付け技術は、層１６、１８のために選択された材料の形式の関数となることを認識されたい。
【００１６】
包装体１０は、キャビティ１２又は包装体の他の機能部を定めるために、相対する層の間の１つ又はそれ以上の結合点又はシールを含んでもよい。例えば、図１及び図２Ａを参照すると、包装体１０は、周囲シールを定めるシール・ライン２０及びキャビティ１２内のバッフル２２を含み、バッフル２２は、キャビティ１２からの流体組成物１４の流速を制御するように働く。付加的な結合ライン２４が、出口構造体２８の方に向けられたノズル構造体２６を定める。
パケット１０の使用の際に流体組成物１４が流れる出口構造体２８が、層１６のような第１パケット材料層に設けられる。出口構造体２８の構成は変化させることができる。例えば、構造体２８は、いずれのパターンの穴、スリット、孔、又は材料層１６を貫通して定められた他の開口部を含んでもよい。もう１つの実施形態において、出口構造体４０は、包装体に圧力がかけられたときに破れ又は破裂するように設計されたパケット材料又はシーム構造体における脆弱位置であってもよい。こうした脆弱位置は、エンボス加工、レーザ・スコーリング、機械的スコーリング、又はフィルム構造体を脆弱化するための他の公知の方法によって作成されてもよい。
【００１７】
包装体１０は、特に図２Ａに示されたように、キャビティ１２を定める第１部分に隣接した包装体１０の第２部分において互いにシールされる、相対するパケット材料層１６、１８の延長部から形成されたフラップ３０を組み入れている。図２Ａから図２Ｃまでに示されるように、フラップ３０は、キャビティ１２の縦方向端を定めるために用いられるシール・ライン２５（図２Ａ）に対応する第１折り畳みライン３４で折り畳まれてもよい。フラップ３０は、特に図２Ｂ及び図２Ｃに見られるように、出口構造体２８上の第１材料層１６を覆って引き剥がし可能にシールするのに十分な距離にわたってキャビティ１２上を戻る方向に延びるように折り畳まれる。フラップ３０と材料層３２との間のシール３８（図３Ａ）は、引き剥がし可能となるか又は壊れやすくなるように設計されて、フラップ３０がその後材料層１６から剥離されて、他の方法で包装体の完全性が損失することなく、出口構造体２８を露出できるようにされる。例えば、この目的のために、引き剥がし可能な接着剤が、フラップ３０と材料層１６との間に配置されてもよい。
【００１８】
図２Ｃを参照すると、フラップ３０は、出口構造体２８上を戻る方向に延びるように、反対方向に第２折り畳みライン３６で折り畳まれてもよい。この付加的な折り畳み部は、第２折り畳みライン３６に隣接するシール４０（図３Ａ）で第１折り畳み部に引き剥がし可能に取り付けられてもよいが、これは必須ではない。
包装体１０の特定の実施形態においては、相対する材料層１６、１８は、キャビティ１２、そしてまたバッフル２２及び必要に応じてノズル構造体２６を定めるように周囲シール２０に沿って互いにヒートシールされた熱可塑性フィルム層のような熱可塑性材料である。熱可塑性材料の場合、フラップ３０は、出口構造体２８を囲むシール区域２７（図２Ａに破線で示される）において出口構造体２８上で第１材料層１６に直接ヒートシールされてもよい。シール区域２７は、出口構造体２８の周りの辺縁シール、又は、図１及び図２Ａのシール区域２７における破線によって示されるように、出口構造体２８を包囲するシール区域２７の領域上の連続シールであってもよい。例えば、第１材料層１６は、材料１６の内面層とは異なるヒートシール特性（すなわち、温度、滞留時間、及び圧力）をもつ外面層を有してもよい。このようにして、フラップ３０は、周囲シールに沿って相対する材料層１６、１８を互いにヒートシールするのに必要とされる条件とは異なる条件で第１材料層１６に対して直接ヒートシールされてもよい。したがって、フラップ・シールは、キャビティ１２又は他の包装構造体を定める周囲シールに比べて弱い又は「壊れやすい」と考えてもよい。
【００１９】
材料層１６は、異なるヒートシール特性をもつ異なる層を有する多層フィルムであってもよい。層は、共押出又はラミネート層であってもよく、一方の外面層は、Ｄｕｐｏｎｔ社からのＳｕｒｌｙｎ（登録商標）、或いは、ポリブチレンとエチレン酢酸ビニル又は超低密度エチレンコポリマーとのブレンド、ポリオレフィンプラストマー、又はポリエチレンのようなシーラント材料又はコーティングを含む。これらの樹脂又はブレンドでできたシーラント層は、シール温度、滞留時間、及び圧力に応じて、ベースポリマー材料に比べて、異なるシール強度を与える。したがって、フラップ３０と第１材料層１６の外面との間のシールは、シール条件を変化させることによって、キャビティ１２を定める永久周囲シールに比べて選択的に壊れやすくなるように形成することができる。フラップ３０は、シール区域２７内で互いにシールされている材料層１６、１８の内面に関係なく、出口構造体２８上の材料層１６に直接ヒートシールすることができる。
第２材料層１８は、材料層１６の内面とのシールが形成される限り、第１材料層１６に比べて同じ又は異なる熱可塑性フィルムであってもよい。
【００２０】
ここで説明するように包装体３０を形成するのに用いることができる種々の多層熱可塑性フィルムが市販されている。例えば、ＰＥＲＦＥＣＦＬＥＸ（登録商標）フィルムという名称の多層熱可塑性フィルムのラインが、米国ウィスコンシン州オシュコッシュに本処置を有するＰｅｒｆｅｃｓｅａｌ、Ｉｎｃ．（Ｂｅｍｉｓ  Ｃｏｍｐａｎｙ，Ｉｎｃ．の一部門）から入手可能である。Ｐｅｒｆｅｃｓｅａｌ、Ｉｎｃ．からの特に適したフィルムは、ＥＺ  ＰＥＥＬ（登録商標）ポリエチレンフィルム（製品コード３４４６６−Ｇ）として識別される。このフィルムは、芯層の一方の外側上に壊れやすいシーラント層を有する多層ＰＥフィルムである。材料層１６として用いるために、このフィルムは、壊れやすいシーラント層が外向きに面して、フラップ３０が材料１６に直接ヒートシールされたときにフラップ３０と材料表面１６との接合面を定めるように配向される。ＥＺ  ＰＥＥＬ（登録商標）フィルム（反対側の外側面上にコロナ処理がなされていない）が、フィルムの壊れやすいシーラント層が外向きに配置された状態で、相対する材料層１８として用いられてもよい。
【００２１】
フラップ３０は、ユーザが包装体１０を開封するために直接つかんでもよい。もう１つの実施形態において、フラップ３０は、包装体１０を開封するためにユーザによってつかまれる要素を与える、縦方向に延びるタブ又は延長部３２を含んでもよい。延長部３２は、いずれかの所望の形状又は構成をとることができる。延長部３２が引っぱられたときに、フラップ３０が展開され材料層１６から解放されて出口構造体２８を覆わなくなる。次に、キャビティ１２内の流体組成物１４は、出口構造体２８が包装体材料を通る穴又は他の開口部を含む実施形態において、出口構造体２８の外に自由に移動する。出口構造体２８が脆弱材料部を含む実施形態においては、包装体は、ユーザが（例えば包装体を押しつぶすことによって）包装体に圧力をかけて脆弱材料部を破裂させることによって作動される。
【００２２】
図３Ａ及び図３Ｂは、包装体１０の特定の実施形態の折り畳まれた構成及び開かれた構成を示す断面図である。この実施形態は、各々の材料層について外向きに面する壊れやすいシーラント層を有する材料層１６、１８としてＥＺ  ＰＥＥＬ製品３４４６６−Ｇを用いて形成されてもよい。図３Ａを参照すると、シール３８は、出口構造体２７上のシール区域においてフラップ３０（折り畳みライン３４で折り畳まれた）と材料層１６との間のヒートシールを表す。シール４０は、装置の使用前に包装体１０に取り付けられているフラップ３０をコンパクトに折り畳まれた状態に維持することが望まれる、フラップ３０の折り畳み部（折り畳みライン３６によって定められる）間の付加的なヒートシールを表す。図３Ｂは、フラップ延長部３２がユーザによって矢印で示される方向に沿って引っぱられた後のフラップ３０を示す。この動作によって、フラップ・シール３８、４０が剥離されて出口構造体２８を露出し、ここで流体組成物１４はキャビティ１２を出ることができる。
シール３８及び４０は、特に、包装体層１６、１８として非熱可塑性材料が用いられ、又は、包装体１０を構築するためにヒートシール以外の結合技術が用いられる実施形態において、接合面間に配置された接着剤組成物によって提供されてもよい。
【００２３】
図４Ａ及び図４Ｂは、（そこにフラップ３０の第１折り畳み部がシール３８においてシールされた状態の）出口構造体２８が反対方向に折り畳まれて第２材料層１８に隣接して位置するように配置された第２折り畳みライン３６で折り畳まれる実施形態を示す。この付加的な折り畳み部は、第２シール４０を用いて材料層１８に取り付けられてもよい。この構成においては、出口構造体２８は、第２折り畳みライン３６によってキャビティの内容物から分離される。この実施形態においては、相対する材料層１６、１８は、キャビティ１２を定める周囲シールに沿って互いにヒートシールされた熱可塑性材料であってもよい。フラップ３０は、出口構造体２８を囲むシール区域において（シール３８で示されるように）出口構造体２８上で第１材料層１６に直接ヒートシールされる。フラップ３０の付加的な折り畳み部は、シール４０によって示されるように第２折り畳みライン３６に隣接する第２材料層１８に直接ヒートシールされる。第１及び第２材料層１６、１８は、材料層１６、１８の内面を互いにシールすることなく、フラップ・ヒートシール３８、４０が壊れやすくなるようなヒートシール特性をもつ外面を有する多層フィルムであってもよい。
【００２４】
本発明に係る包装体１０のいずれかの実施形態は、キャビティ１２の周囲シール、並びに、いずれかのバッフル・シール２２又はノズル・シール２４、及び、フラップ・シール３８（及び含まれる場合にはシール４０）を定めるための所望のヒートシール特性を有するように選択された単層及び多層フィルムの種々の組み合わせから作成できることを認識されたい。あるフィルムの組み合わせにおいては、シール３８を形成するときに材料層１６、１８が互いにシールされて、出口構造体２８におけるキャビティ１２をつぶすのを防止するように、注意しなければならない。これに関して、図５は、フラップ・シール３８を形成するときに材料層１６、１８が出口構造体２８で又はその付近で互いにシールすることができる内側フィルム層を含む実施形態を示す。この状況を防止するために、キャビティ１２の端部をシールする前に、インサート材料４４がキャビティ１２内に配置される。インサート４４は、シール区域２７内の出口構造体２８の下に配置されるように位置決めされる。インサート４４は、フラップ３０と材料層１６との間にシール３８が形成されるときに少なくとも上側材料層１６と共にシールされない材料からなる。インサート４４は、例えば、材料層１６よりも高い融点を有する可撓性のポリ材料片であってもよい。したがって、インサート４４は、フラップ・シール３０を形成するときにキャビティ１２がつぶされず出口構造体２８の周りでシールされることを保証する。インサート４４は、層１６とヒートシールしない材料層１６に隣接する表面と、キャビティ内の材料層１８とヒートシールされる反対側のシーラント層表面とを有し、それによりシール工程の間にインサート４４が所定位置に確実に保持されるようにする、ポリエステル／シーラント層フィルムのような多層フィルムであってもよい。あらゆる種類の材料又は構造体がインサート４４として働くことができることを認識されたい。
【００２５】
図５の実施形態においては、フラップ延長部３２は、単純に、フラップ３０全体の延長部である。
包装体３０内に収容された流体組成物１４は、ヒト／動物に用いるための洗浄液及び表面をクリーニングするための洗浄液を含む、アプリケータ１０の意図される使用に適したいずれの流体であってもよい。流体は、ペースト、ゲル、粉末、油、液体のいずれか又はその他の適切な媒体であってもよい。洗浄液の例には、水溶性ポリマー、ポリソルベート、グリセリン、グリコールベースの界面活性剤、及び／又は、シリコンベースの界面活性剤のような界面活性剤がある。流体は、水、塩、酢、湿潤剤、磨き粉、増粘剤及び香料のような他の材料を含んでもよい。洗浄液はまた、正常な皮膚の水和レベルを維持する一助となる保湿剤を含んでもよい。洗浄液はまた、膣領域の正常なフローラを乱さない保存料及び他の成分（例えば、ソルビン酸、クエン酸、メチルパラベン、及び、グレープフルーツ抽出物のような天然保存料）を含んでもよい。流体は、身体領域に適用されてもよい他の材料を含んでもよい。例示的な材料には、潤滑剤、消臭剤、及びその他の不活性又は活性成分（例えば殺精子剤又は薬剤）がある。本発明の１つの態様においては、流体は、界面活性剤、保存料、ｐＨ中和剤及び増粘剤を含む、主に水ベースの溶液（９０％＋水分）である洗浄液である。
【００２６】
流体は、水、天然酵素、及び中性洗剤を含むＦＯＵＲ  ＰＡＷＳ  Ｓｕｐｅｒ  Ｓｔｒｅｎｇｔｈ  Ｓｔａｉｎ  ａｎｄ  Ｏｄｏｒ  Ｒｅｍｏｖｅｒ（ニューヨーク州Ｈａｕｐｐａｕｇｅ所在のＦｏｕｒ  Ｐａｗｓ  Ｐｒｏｄｕｃｔｓからの）、又は、（カリフォルニア州Ｅｓｔａｔｅｓ  Ｒｏｌｌｉｎｇ  Ｈｉｌｌｓ所在のＰｅｔｓ’Ｎ  Ｐｅｏｐｌｅ、Ｉｎｃ．からの）水、天然酵素、イソプロピルアルコール及び天然柑橘香料を含むＮＡＴＵＲＥ’Ｓ  ＭＩＲＡＣＬＥ  Ｓｔａｉｎ＆Ｏｄｏｒ  Ｒｅｍｏｖｅｒ、或いは、ＲＥＳＯＬＶＥ  Ｃａｒｐｅｔ  Ｓｐｏｔ＆Ｓｔａｉｎ  Ｃａｒｐｅｔ  Ｃｌｅａｎｅｒ（ニュージャージー州ウェーン所在のＲｅｃｋｉｔｔ  Ｂｅｎｃｋｉｓｅｒからの）のような洗浄溶液であってもよい。流体はペット・シャンプーであってもよい。流体は、染み抜き剤、及び、水、２−ｂｕｔｏｘｙｅｔｈａｎｏｌ、過酸化水素、及び界面活性剤を含むＳＣＯＴＣＨＧＡＲＤ  Ｏｘｙ  Ｃａｒｐｅｔ  Ｃｌｅａｎｅｒ  ｗｉｔｈ  Ｓｔａｉｎ  Ｐｒｏｔｅｃｔｏｒのような染み防御剤（ミネソタ州セントポール所在の３Ｍ  Ｃｏｒｐｏｒａｔｉｏｎからの）であってもよい。布の表面をクリーニングするためにクリーニング装置１０を用いる場合、流体は、活性成分としてメチルノニルケトンを有する（テキサス州ダラス所在のＴｈｅ  Ｂｒａｍｔｏｎ  Ｃｏｍｐａｎｙからの）ＳＩＭＰＬＥ  ＳＯＬＵＴＩＯＮ  Ｉｎｄｏｏｒ／Ｏｕｔｄｏｏｒ  Ｒｅｐｅｌｌｅｎｔ  ｆｏｒ  Ｄｏｇｓ  ａｎｄ  Ｃａｔｓのようなペットよけ剤を含んでもよい。
【００２７】
流体は抗菌剤であってもよい。適切な抗菌剤の例には、３−トリメトキシシリルプロピルジメチルオクタデシル塩化アンモニウム（ＡＥＧＩＳ）のような第４級アンモニウム化合物、ビグアニド（ポリ（ヘキサメチレン）ビグアニド塩酸塩（ＰＨＭＢ）Ａｒｃｈ  Ｃｈｅｍｉｃａｌ）、２，４，４’−トリクロロー２’−ヒドロキシル−ジフェニルエーテル（Ｔｉｎｏｓａｎ、Ｃｉｂａ）のようなポリカチオン系薬品、２，４，４’−トリクロロ−２’ヒドロキシジフェニルエーテル又は５−クロロ−２−（２，４−ジクロロフェノキシル）フェノールのいずれかとして知られるジフェニルエーテル（ビス−フェニル）誘導体、トリクロサン、銀、及び銅がある。流体は、帯電もしくは混合された帯電粒子又はナノ粒子とされるアレルゲン封鎖剤であってもよい。ほとんどのアレルギー蛋白は、糖蛋白（共有結合したオリゴ糖を含む蛋白）であり、そのため、負電荷が、粒子上の圧倒的多数の正電荷よりも良いが、混合された電荷が好ましいとすることができる。この点でクレイ又は改質クレイが作用する。適切なアレルゲン封鎖剤の例には、ジャカリン、ピーナッツ、及び大豆のようなＮ−アセチルガラクトサミンへの親和性をもつ植物レクチンがあり、レクチンは、アレルゲンを拘束するとともにウェブに結合され、それにより表面からアレルゲンを除去する。流体はまた香料を含んでもよい。流体はまた、動物を引き寄せるか又は避けさせるフェロモンを含んでもよい。流体はまた、靴ずみ、カーペットクリーニング溶液、染み除去液キッチンフロア及びカウンタトップ・クリーナなどであってもよい。
【００２８】
本発明の実施形態は、種々の詳細な並びに例示的な態様及び技術を参照しながら説明される。しかしながら、その精神及び範囲内にありながら、多くの変形及び修正がなされてもよいことを理解されたい。したがって、これは、請求項の精神及び範囲内に入る全てのそうした変形、修正及び変化を包含することを意図されている。
【図面の簡単な説明】
【００２９】
【図１】本発明に係る包装体の実施形態の斜視図である。
【図２Ａ】折り畳まれシールされる前の、図１に係る包装体の斜視図である。
【図２Ｂ】フラップが部分的に折り畳まれた状態の、図２Ａに係る包装体の斜視図である。
【図２Ｃ】フラップが出口構造体上で折り畳まれシールされた状態の、図２Ｂに係る包装体の斜視図である。
【図３Ａ】折り畳まれた状態の包装体構成の切り取り図である。
【図３Ｂ】開かれた状態の包装体構成の切り取り図である。
【図４Ａ】折り畳まれた状態のもう１つの包装体構成の切り取り図である。
【図４Ｂ】開かれた状態のもう１つの包装体構成の切り取り図である。
【図５】本発明に係るもう１つの実施形態の部分切り取り斜視図である。
【図１】
2009505918.tif 000003
【図２Ａ】
2009505918.tif 000004
【図２Ｂ】
2009505918.tif 000005
【図２Ｃ】
2009505918.tif 000006
【図３Ａ】
2009505918.tif 000007
【図３Ｂ】
2009505918.tif 000008
【図４Ａ】
2009505918.tif 000009
【図４Ｂ】
2009505918.tif 000010
【図５】
2009505918.tif 000011
【国際調査報告】
2009505918.tif 000012
2009505918.tif 000013
2009505918.tif 000014